(57)【要約】【課題】切屑排出溝に開口するクーラント孔への切屑詰まりを抑制できるドリルを提供する。【解決手段】中心軸Ｏを有し、中心軸Ｏ回りのドリル回転方向Ｔに回転させられるドリル本体２と、ドリル本体２の外周に配置され、軸方向の先端から後端側へ向けて延びる切屑排出溝８と、ドリル本体２の内部を延び、切屑排出溝８の溝壁に開口するクーラント孔１０と、クーラント孔１０の内周面と溝壁との間に配置される案内面１２と、を備え、クーラント孔１０の開口部１１を含む断面視において、案内面１２は、クーラント孔１０の孔幅中心線Ｃに沿って溝壁側へ向かうにしたがい、孔幅中心線Ｃとの間の距離が大きくなり、案内面１２は、開口部１１のうち、ドリル径方向の内側に位置する。【選択図】図５
2019171514.tif 000002
【特許請求の範囲】
【請求項１】
中心軸を有し、前記中心軸回りのドリル回転方向に回転させられるドリル本体と、
前記ドリル本体の外周に配置され、軸方向の先端から後端側へ向けて延びる切屑排出溝と、
前記ドリル本体の内部を延び、前記切屑排出溝の溝壁に開口するクーラント孔と、
前記クーラント孔の内周面と前記溝壁との間に配置される案内面と、を備え、
前記クーラント孔の開口部を含む断面視において、前記案内面は、前記クーラント孔の孔幅中心線に沿って前記溝壁側へ向かうにしたがい、前記孔幅中心線との間の距離が大きくなり、
前記案内面は、前記開口部のうち、ドリル径方向の内側に位置する、ドリル。
【請求項２】
請求項１に記載のドリルであって、
前記案内面が、前記開口部のうち、軸方向の後端側にも位置する、ドリル。
【請求項３】
請求項１または２に記載のドリルであって、
前記案内面が、前記開口部のうち、軸方向の先端側にも位置する、ドリル。
【請求項４】
請求項１〜３のいずれか一項に記載のドリルであって、
前記案内面が、前記開口部の開口全周に位置する、ドリル。
【請求項５】
請求項１〜４のいずれか一項に記載のドリルであって、
前記孔幅中心線に沿う断面視で、前記案内面は、凸曲線状である、ドリル。
【請求項６】
請求項１〜４のいずれか一項に記載のドリルであって、
前記孔幅中心線に沿う断面視で、前記案内面は、凹曲線状である、ドリル。
【請求項７】
請求項１〜４のいずれか一項に記載のドリルであって、
前記孔幅中心線に沿う断面視で、前記案内面は、直線状である、ドリル。
【請求項８】
請求項１〜７のいずれか一項に記載のドリルであって、
前記開口部は、前記切屑排出溝の溝壁のうち、前記ドリル回転方向とは反対方向を向く壁部に配置される、ドリル。
【請求項９】
請求項１〜８のいずれか一項に記載のドリルであって、
前記ドリル本体の先端部に着脱可能に装着され、切刃を有する切削インサートを備える、ドリル。
【発明の詳細な説明】
【技術分野】
【０００１】
本発明は、切屑排出溝に開口するクーラント孔への切屑詰まりを抑制できるドリルに関する。
【背景技術】
【０００２】
従来、例えば特許文献１の穴明け工具が知られる。この穴明け工具は、工具本体の先端から後端に向かって切屑排出溝が設けられ、切屑排出溝の工具回転方向と反対の方向を向く壁面に切削油供給孔の開口部が設けられる。
【先行技術文献】
【特許文献】
【０００３】
【特許文献１】実公平６−７８５３号公報
【発明の概要】
【発明が解決しようとする課題】
【０００４】
従来のドリルでは、切屑排出溝に開口するクーラント孔への切屑詰まりを抑制する点において改善の余地があった。
【０００５】
本発明は、上記事情に鑑み、切屑排出溝に開口するクーラント孔への切屑詰まりを抑制できるドリルを提供することを目的の一つとする。
【課題を解決するための手段】
【０００６】
本発明のドリルの一つの態様は、中心軸を有し、前記中心軸回りのドリル回転方向に回転させられるドリル本体と、前記ドリル本体の外周に配置され、軸方向の先端から後端側へ向けて延びる切屑排出溝と、前記ドリル本体の内部を延び、前記切屑排出溝の溝壁に開口するクーラント孔と、前記クーラント孔の内周面と前記溝壁との間に配置される案内面と、を備え、前記クーラント孔の開口部を含む断面視において、前記案内面は、前記クーラント孔の孔幅中心線に沿って前記溝壁側へ向かうにしたがい、前記孔幅中心線との間の距離が大きくなり、前記案内面は、前記開口部のうち、ドリル径方向の内側に位置する。
【０００７】
本発明のドリルの一つの態様によれば、切屑排出溝の溝壁に開口するクーラント孔の開口部に対して、切屑が、ドリル径方向の外側から内側へ向けて流れてきても、切屑が案内面に案内されることにより、開口部近傍に引っ掛かることが抑制される。このため、開口部から切屑がクーラント孔内に進入することが抑えられて、クーラント孔の切屑詰まりを抑制できる。
なお、本明細書でいう「孔幅中心線」とは、開口部を含む断面視に表れる、クーラント孔の開口部の幅方向（孔幅方向）の中心線を指す。
【０００８】
上記ドリルにおいて、前記案内面が、前記開口部のうち、軸方向の後端側にも位置することが好ましい。
【０００９】
この場合、切屑排出溝内を後端側へ向けて流れる切屑が、クーラント孔の開口部近傍に引っ掛かることが抑制される。したがって、クーラント孔への切屑詰まりをより抑制できる。
【００１０】
上記ドリルにおいて、前記案内面が、前記開口部のうち、軸方向の先端側にも位置することが好ましい。
【００１１】
この場合、クーラント孔の開口部近傍に切屑が引っ掛かることがより抑制される。したがって、クーラント孔への切屑詰まりをより抑制できる。
【００１２】
上記ドリルにおいて、前記案内面が、前記開口部の開口全周に位置することが好ましい。
【００１３】
この場合、クーラント孔の開口部に対して、切屑排出溝内を流れる切屑が、いかなる方向から流れてきても、切屑が案内面に案内されて、開口部近傍に引っ掛かることが抑制される。このため、クーラント孔に切屑が詰まることをより抑制できる。
【００１４】
上記ドリルにおいて、前記孔幅中心線に沿う断面視で、前記案内面は、凸曲線状であることが好ましい。
【００１５】
この場合、案内面が凸曲面状となるため、クーラント孔の開口部近傍に切屑がより引っ掛かりにくい。
【００１６】
上記ドリルにおいて、前記孔幅中心線に沿う断面視で、前記案内面は、凹曲線状であることが好ましい。
【００１７】
この場合、案内面が凹曲面状となるため、ボールエンドミル等により案内面を簡単に（少ない切削パスで）形成できる。すなわち、案内面によってクーラント孔の開口部近傍に切屑が引っ掛かりにくくなる機能が得られつつも、案内面の成形が容易であり、ドリル（ドリル本体）の製造を簡素化できる。
【００１８】
上記ドリルにおいて、前記孔幅中心線に沿う断面視で、前記案内面は、直線状であることが好ましい。
【００１９】
この場合、案内面が面取り形状となるため、エンドミル等により案内面を簡単に（少ない切削パスで）形成できる。すなわち、案内面によってクーラント孔の開口部近傍に切屑が引っ掛かりにくくなる機能が得られつつも、案内面の成形が容易であり、ドリル（ドリル本体）の製造を簡素化できる。
【００２０】
上記ドリルにおいて、前記開口部は、前記切屑排出溝の溝壁のうち、前記ドリル回転方向とは反対方向を向く壁部に配置されることが好ましい。
【００２１】
この場合、クーラント孔から切刃に向けてクーラントを直接的に供給しやすくなる。また、クーラント孔の開口部が、被削材に切り込む切刃からドリル周方向に離れて配置されるため、開口部に対して切屑が接触しにくくなり、切屑詰まりがより抑制される。
【００２２】
上記ドリルにおいて、前記ドリル本体の先端部に着脱可能に装着され、切刃を有する切削インサートを備えることが好ましい。
【００２３】
この場合、切削インサートは着脱式のドリルヘッドまたは切削チップであり、ドリルは、刃先交換式ドリルである。このため、切刃のチッピング等により切削インサートが寿命となった際には、別の新しい切削インサートと交換することにより、加工精度を良好に維持できる。また、被削材の種類や加工形態等に応じて、様々な切刃を有する複数種類の切削インサートを用意し、選択的に使用することができる。
【発明の効果】
【００２４】
本発明の一つの態様のドリルによれば、切屑排出溝に開口するクーラント孔への切屑詰まりを抑制できる。
【図面の簡単な説明】
【００２５】
【図１】本発明の一実施形態に係る刃先交換式ドリルを示す斜視図である。
【図２】図１の刃先交換式ドリルの要部を示す斜視図である。
【図３】刃先交換式ドリルを示す正面図である。
【図４】刃先交換式ドリルの要部を示す側面図である。
【図５】図４のV-V断面を示す断面図である。
【図６】案内面の作用を説明する図である。
【図７】案内面の作用を説明する図である。
【図８】刃先交換式ドリルの変形例を示す断面図である。
【図９】刃先交換式ドリルの変形例を示す断面図である。
【図１０】刃先交換式ドリルの変形例を示す断面図である。
【発明を実施するための形態】
【００２６】
以下、本発明の一実施形態のドリルの一例である刃先交換式ドリル１について、図面を参照して説明する。
【００２７】
〔刃先交換式ドリルの概略構成〕
図１〜図５に示すように、本実施形態の刃先交換式ドリル１は、中心軸Ｏを有する軸状をなし、中心軸Ｏ回りのドリル回転方向Ｔに回転させられ、軸方向の先端部にインサート取付座３が形成されたドリル本体２と、インサート取付座３に着脱可能に装着され、切刃５を有する切削インサート４と、を備える。ドリル本体２は、例えば鋼材製であり、切削インサート４は、例えば超硬合金製である。
【００２８】
ドリル本体２は、工作機械の主軸等に着脱可能に装着されるシャンク部６と、軸方向のシャンク部６とは異なる位置に配置され、インサート取付座３および後述する切屑排出溝８が形成された刃部７と、を備える。
本実施形態の例では、インサート取付座３が、ドリル本体２の先端部においてドリル径方向に延びる溝状をなしており、ドリル本体２の先端面および外周面（ドリル径方向の両外側）に開口する。
【００２９】
切削インサート４は、ドリル回転方向Ｔを向くすくい面１５と、軸方向の先端側を向く逃げ面１６と、すくい面１５と逃げ面１６との交差稜線部に形成された切刃５と、を有する。切刃５は、ドリル径方向に沿うように延びる。切刃５は、ドリル径方向の外側へ向かうにしたがい軸方向の後端側へ向けて傾斜して延びる。
本実施形態の例では、刃先交換式ドリル１が２枚刃のツイストドリルであり、これに応じて切削インサート４には、中心軸Ｏを中心として１８０°回転対称位置に切刃５が２つ形成されている。
【００３０】
切削インサート４は、ドリル本体２の先端面および外周面から切刃５を突出させた状態でインサート取付座３に装着され、クランプネジにより固定される。切削インサート４は、ドリルヘッドまたは切削チップと呼ばれる場合がある。
【００３１】
〔本実施形態で用いる向き（方向）の定義〕
本実施形態では、ドリル本体２の中心軸Ｏに沿う方向（中心軸Ｏが延びる方向）を、軸方向と呼ぶ。軸方向のうち、シャンク部６から刃部７へ向かう方向を先端側と呼び、刃部７からシャンク部６へ向かう方向を後端側と呼ぶ。
中心軸Ｏに直交する方向をドリル径方向と呼ぶ。ドリル径方向のうち、中心軸Ｏに接近する向きをドリル径方向の内側と呼び、中心軸Ｏから離れる向きをドリル径方向の外側と呼ぶ。
中心軸Ｏ回りに周回する方向をドリル周方向と呼ぶ。ドリル周方向のうち、切削加工時に工作機械の主軸等によりドリル本体２が回転させられる向きをドリル回転方向Ｔと呼び、これとは反対の回転方向を、ドリル回転方向Ｔとは反対方向（反ドリル回転方向）と呼ぶ。
【００３２】
〔ドリル本体〕
ドリル本体２の外周には、軸方向の先端から後端側へ向けて延びる切屑排出溝８が配置される。切屑排出溝８は、ドリル本体２の外周に、ドリル周方向に互いに間隔をあけて複数形成される。
【００３３】
ドリル本体２の内部には、該ドリル本体２の後端面９に開口し、後端面９から軸方向の先端側へ向けて延びるクーラント孔１０が形成されている。クーラント孔１０は、ドリル本体２の外周のうちドリル周方向に隣り合う切屑排出溝８同士の間に形成されたランド部１４と、中心軸Ｏとの間（つまりランド部１４のドリル径方向の内側）に位置する部分を有する。クーラント孔１０は、ドリル本体２の内部を延び、切屑排出溝８の溝壁（溝の内壁面）に開口する。クーラント孔１０は、切屑排出溝８の溝壁に開口する開口部１１を有する。
【００３４】
〔切屑排出溝〕
切屑排出溝８は、ドリル本体２の先端面に開口し、該先端面から軸方向の後端側へ向かうにしたがいドリル回転方向Ｔとは反対方向へ向けて、螺旋状に延びる。切屑排出溝８の先端部は、インサート取付座３と繋がる。図５に示すドリル本体２の横断面視で、切屑排出溝８は、凹曲線状をなす。切屑排出溝８の溝壁は、凹曲面状である。
【００３５】
本実施形態では、ドリル本体２の外周において複数の切屑排出溝８が、中心軸Ｏに関して回転対称位置となるように、ドリル周方向に等間隔をあけて（等ピッチで）配置されている。具体的に、ドリル本体２の外周には、中心軸Ｏを中心として１８０°回転対称位置に、切屑排出溝８が２つ形成されている。
【００３６】
切屑排出溝８は、ドリル本体２の軸方向に沿う中央部付近、または中央部よりも後端側に位置する部分において、ドリル径方向の外側へ向けてドリル本体２の外周面に切れ上がっている。そして、ドリル本体２において、軸方向に沿う切屑排出溝８が形成された領域が刃部７とされ、この領域よりも後端側に位置する部位がシャンク部６とされる。
【００３７】
本実施形態の例では、切屑排出溝８のうち先端部のねじれ角が、後端側に位置する部分のねじれ角よりも大きい。上記「ねじれ角」とは、ドリル本体２をドリル径方向から見て、切屑排出溝８と平行に延びる仮想の弦巻線（不図示）が、中心軸Ｏに交差して形成される鋭角および鈍角のうち、鋭角の角度を指す。言い換えると、ねじれ角は、切屑排出溝８の溝壁のうちドリル回転方向Ｔを向く壁部８ａと、ドリル本体２の外周面（ランド部１４）との間に形成される交差稜線（上記仮想の弦巻線に相当）が、ドリル側面視において中心軸Ｏに対して傾斜する角度である。本実施形態において切屑排出溝８は、軸方向の先端から後端側へ向かうにしたがいドリル回転方向Ｔとは反対方向へ向けてねじれて延びているため、ねじれ角は、ポジティブ（正）角である。
【００３８】
〔クーラント孔〕
クーラント孔１０は、ドリル本体２の内部に形成されたクーラント（油性または水溶性の切削液剤、圧縮エア等）の流路である。クーラント孔１０には、刃先交換式ドリル１の外部に設けられたクーラント供給手段が、工作機械の主軸等を通して接続される。
【００３９】
クーラント孔１０の開口部１１は、切屑排出溝８の溝壁のうち、ドリル回転方向Ｔとは反対方向を向く壁部８ｂに配置される。クーラント孔１０の開口部１１の先端側には、切刃５およびすくい面１５が位置する。つまり、クーラント孔１０は、切刃５およびすくい面１５に向けて開口する。
【００４０】
クーラント孔１０の開口部１１には、案内面１２が配置される。
図５に示すように、案内面１２は、クーラント孔１０の内周面１０ａと、切屑排出溝８の溝壁との間に配置される。案内面１２は、クーラント孔１０の内周面１０ａと、切屑排出溝８の溝壁とに繋がる。案内面１２は、クーラント孔１０の内周面１０ａと、切屑排出溝８の溝壁のうちドリル回転方向Ｔとは反対方向を向く壁部８ｂとを接続する。
【００４１】
図５に示すように、クーラント孔１０の開口部１１を含むドリル本体２の断面視において、案内面１２は、クーラント孔１０の孔幅中心線Ｃに沿って切屑排出溝８の溝壁側へ向かうにしたがい、孔幅中心線Ｃとの間の距離が大きくなる。すなわち、案内面１２は、クーラント孔１０の孔幅中心線Ｃに沿ってクーラント孔１０の出口側（クーラント噴出方向）へ向かうにしたがい、孔幅中心線Ｃから離れる向きに傾斜して延びる。案内面１２は、クーラント孔１０の開口部１１を出口側へ向けて拡張する面である。
なお、本実施形態でいう「孔幅中心線Ｃ」とは、開口部１１を含む断面視に表れる、クーラント孔１０の開口部１１の幅方向（孔幅方向）の中心線を指す。
【００４２】
本実施形態の例では、図５に示すように、孔幅中心線Ｃに沿う断面視で、案内面１２が、凸曲線状である。
図２〜図５に示すように、案内面１２は、開口部１１のうち、ドリル径方向のすくい面１５側に位置する。すなわち、案内面１２は、開口部１１のうち、ドリル径方向の内側に位置する。案内面１２は、開口部１１のうち、軸方向の後端側にも位置する。案内面１２は、開口部１１のうち、軸方向の先端側にも位置する。案内面１２は、開口部１１のうち、ドリル径方向の外側にも位置する。本実施形態の例では、案内面１２が、開口部１１の開口全周に位置する。
【００４３】
本実施形態では図４に示すように、ドリル側面視のうち開口部１１を正面に見て、開口部１１のドリル径方向の内側（すくい面１５側）に位置する案内面１２の幅が、ドリル径方向の外側（ランド部１４側）に位置する案内面１２の幅よりも大きい。
【００４４】
〔本実施形態による作用効果〕
以上説明した本実施形態の刃先交換式ドリル１によれば、図６に示すように、切屑排出溝８の溝壁に開口するクーラント孔１０の開口部１１に対して、切屑Ｗが、ドリル径方向の外側から内側へ向けて流れてきても、切屑Ｗが案内面１２に案内されることにより、開口部１１近傍に引っ掛かることが抑制される。このため、開口部１１から切屑Ｗがクーラント孔１０内に進入することが抑えられて、クーラント孔１０の切屑詰まりを抑制できる。
また、図７に示すように、クーラント孔１０の開口部１１に対して、切屑Ｗが、ドリル径方向の内側から外側へ向けて流れてきても、切屑Ｗが案内面１２に案内されることにより、開口部１１近傍に引っ掛かることが抑制される。
【００４５】
また本実施形態では、案内面１２が、開口部１１のうち、軸方向の後端側にも位置する。
このため、切屑排出溝８内を後端側へ向けて流れる切屑Ｗが、クーラント孔１０の開口部１１近傍に引っ掛かることが抑制される。したがって、クーラント孔１０への切屑詰まりをより抑制できる。
【００４６】
また本実施形態では、案内面１２が、開口部１１のうち、軸方向の先端側にも位置する。
このため、クーラント孔１０の開口部１１近傍に切屑Ｗが引っ掛かることがより抑制される。したがって、クーラント孔１０への切屑詰まりをより抑制できる。
【００４７】
また本実施形態では、案内面１２が、開口部１１の開口全周に位置する。
このため、クーラント孔１０の開口部１１に対して、切屑排出溝８内を流れる切屑Ｗが、いかなる方向から流れてきても、切屑Ｗが案内面１２に案内されて、開口部１１近傍に引っ掛かることが抑制される。このため、クーラント孔１０に切屑Ｗが詰まることをより抑制できる。
【００４８】
また本実施形態では、孔幅中心線Ｃに沿う断面視で、案内面１２が、凸曲線状である。
つまり、案内面１２が凸曲面状となるため、クーラント孔１０の開口部１１近傍に切屑Ｗがより引っ掛かりにくい。
【００４９】
また本実施形態では、開口部１１が、切屑排出溝８の溝壁のうち、ドリル回転方向Ｔとは反対方向を向く壁部８ｂに配置される。
このため、クーラント孔１０から切刃５に向けてクーラントを直接的に供給しやすくなる。また、クーラント孔１０の開口部１１が、被削材に切り込む切刃５からドリル周方向に離れて配置されるため、開口部１１に対して切屑Ｗが接触しにくくなり、切屑詰まりがより抑制される。
【００５０】
また本実施形態では、切削インサート４が、ドリル本体２の先端部に着脱可能に装着される。
すなわち、切削インサート４は着脱式のドリルヘッドまたは切削チップである。このため、切刃５のチッピング等により切削インサート４が寿命となった際には、別の新しい切削インサート４と交換することにより、加工精度を良好に維持できる。また、被削材の種類や加工形態等に応じて、様々な切刃５を有する複数種類の切削インサート４を用意し、選択的に使用することができる。
【００５１】
〔本発明に含まれるその他の構成〕
なお、本発明は前述の実施形態に限定されず、例えば下記に説明するように、本発明の趣旨を逸脱しない範囲において構成の変更等が可能である。
【００５２】
図８〜図１０は、前述の実施形態で説明した刃先交換式ドリル１の変形例を示す断面図（中心軸Ｏに垂直な横断面図）である。
図８（ａ）に示すように、切屑排出溝８のドリル回転方向Ｔとは反対方向を向く壁部８ｂが、ドリル本体２の外周面（ランド部１４）との間に鈍角を形成するように繋がっていてもよい。この場合、切屑排出溝８の溝壁上をドリル径方向の内側から外側へ向けて流れる切屑が、開口部１１を乗り越えやすくなり、切屑詰まりをより抑制できる。
【００５３】
図８（ｂ）に示すように、切屑排出溝８のドリル回転方向Ｔとは反対方向を向く壁部８ｂが、ドリル本体２の外周面（ランド部１４）との間に鋭角を形成するように繋がっていてもよい。この場合、ドリル本体２の剛性を確保しやすい。そして、図８（ｂ）に示すように、孔幅中心線Ｃに沿う断面視で、開口部１１において、ドリル径方向の外側に位置する案内面１２の曲率半径が、ドリル径方向の内側に位置する案内面１２の曲率半径よりも大きくされていてもよい。これにより、切屑排出溝８の溝壁上をドリル径方向の内側から外側へ向けて流れる切屑が、開口部１１近傍に引っ掛かりにくくなり、切屑詰まりをより抑制できる。
【００５４】
なお、孔幅中心線Ｃに沿う断面視で、開口部１１において、ドリル径方向の内側に位置する案内面１２の曲率半径が、ドリル径方向の外側に位置する案内面１２の曲率半径よりも大きくてもよい。
孔幅中心線Ｃに沿う断面視で、案内面１２の曲率半径は、開口部１１の開口全周の各部において、互いに同一とされていてもよいし、互いに異なっていてもよい。
【００５５】
図９（ａ）、（ｂ）に示すように、孔幅中心線Ｃに沿う断面視で、案内面１２が、凹曲線状であってもよい。
この場合、案内面１２が凹曲面状となるため、ボールエンドミル等により案内面１２を簡単に（少ない切削パスで）形成できる。すなわち、案内面１２によってクーラント孔１０の開口部１１近傍に切屑が引っ掛かりにくくなる機能が得られつつも、案内面１２の成形が容易であり、ドリル（ドリル本体２）の製造を簡素化できる。
【００５６】
図１０（ａ）、（ｂ）に示すように、孔幅中心線Ｃに沿う断面視で、案内面１２が、直線状であってもよい。
この場合、案内面１２が面取り形状となるため、エンドミル等により案内面１２を簡単に（少ない切削パスで）形成できる。すなわち、案内面１２によってクーラント孔１０の開口部１１近傍に切屑が引っ掛かりにくくなる機能が得られつつも、案内面１２の成形が容易であり、ドリル（ドリル本体２）の製造を簡素化できる。
【００５７】
図１０（ａ）に示すように、孔幅中心線Ｃを挟んで開口部１１の孔幅方向の両側に位置する一対の案内面１２同士の間に形成される角度（夾角）θが、鈍角であってもよい。図１０（ｂ）に示すように、角度θは、鋭角であってもよい。特に図示しないが、角度θは、９０°でもよい。
【００５８】
図８〜図１０に示す案内面１２を、開口部１１において、孔幅中心線Ｃ回りに適宜組み合わせて配置してもよい。
また、孔幅中心線Ｃに沿う断面視で、案内面１２が、凸曲線、凹曲線および直線の少なくとも２つ以上を組み合わせた線形状とされてもよい。
【００５９】
前述の実施形態では、クーラント孔１０の開口部１１の開口全周にわたって案内面１２が配置される例を挙げたが、これに限定されない。案内面１２は、開口部１１のうち少なくともドリル径方向の内側に配置されていればよい。言い換えると、開口部１１の開口全周のうち、ドリル径方向の内側以外の部分（一箇所または複数箇所）には、案内面１２が配置されていなくてもよい。ただし、前述の実施形態で説明したように、案内面１２が開口部１１の各部に設けられることにより、クーラント孔１０への切屑詰まりを顕著に抑制できることから、より好ましい。
【００６０】
前述の実施形態では、刃先交換式ドリル１が２枚刃のツイストドリルである例を挙げて説明した。そして、切削インサート４には、中心軸Ｏを中心として１８０°回転対称位置に切刃５が２つ形成され、ドリル本体２には、切屑排出溝８およびクーラント孔１０がそれぞれ、１８０°回転対称位置に２つずつ形成される。ただし本発明はこれに限らない。すなわち、切刃５、切屑排出溝８またはクーラント孔１０は、中心軸Ｏを中心とした１８０°回転対称位置に配置されなくてもよい。切刃５、切屑排出溝８またはクーラント孔１０は、ドリル周方向に等ピッチで配置される構成に限らず、不等ピッチで配置されてもよい。また、複数のクーラント孔１０（およびその開口部１１）同士が、互いに異なる形状とされてもよい。
また、本発明は３枚刃以上の刃先交換式ドリルに適用してもよい。
【００６１】
前述の実施形態では、インサート取付座３が、ドリル本体２の先端部においてドリル径方向に延びる溝状をなし、切削インサート４は、ドリル本体２の先端面および外周面から切刃５を突出させた状態でインサート取付座３に装着されるとしたが、インサート取付座３および切削インサート４の各形状は、前述の実施形態で説明した例に限定されない。
例えば、ドリル本体２の外周に、ドリル周方向に互いに間隔をあけて切屑排出溝８が一対設けられ、一対の切屑排出溝８のうち、一方の切屑排出溝８の先端部に、四角形板状をなす内刃用の切削インサートが装着され、他方の切屑排出溝８の先端部に、四角形板状をなす外刃用の切削インサートが装着された刃先交換式ドリルにおいても、本発明を適用できる。
【００６２】
前述の実施形態では、刃先交換式ドリル１を例に挙げたが、これに限らない。本発明のドリルは、例えば、超硬合金製のドリル本体２に切刃５が一体に形成された、ソリッドタイプ（一体型）のドリルでもよい。
【００６３】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されず、特許請求の範囲によってのみ限定される。
【産業上の利用可能性】
【００６４】
本発明のドリルによれば、切屑排出溝に開口するクーラント孔への切屑詰まりを抑制できる。したがって、産業上の利用可能性を有する。
【符号の説明】
【００６５】
１…刃先交換式ドリル（ドリル）
２…ドリル本体
４…切削インサート
５…切刃
８…切屑排出溝
８ｂ…切屑排出溝の溝壁のうち、ドリル回転方向とは反対方向を向く壁部
１０…クーラント孔
１０ａ…内周面
１１…開口部
１２…案内面
Ｃ…孔幅中心線
Ｏ…中心軸
Ｔ…ドリル回転方向
【図１】
2019171514.tif 000003
【図２】
2019171514.tif 000004
【図３】
2019171514.tif 000005
【図４】
2019171514.tif 000006
【図５】
2019171514.tif 000007
【図６】
2019171514.tif 000008
【図７】
2019171514.tif 000009
【図８】
2019171514.tif 000010
【図９】
2019171514.tif 000011
【図１０】
2019171514.tif 000012